(57)【特許請求の範囲】
【請求項１】
グリセリン（ａ）、式（１）で示される化合物（ｂ）および式（２）で示される化合物（ｃ）からなり、（ａ）が９０〜９９質量％、（ｂ）と（ｃ）の合計が１〜１０質量％であり、（ｂ）と（ｃ）の質量比（ｂ）／（ｃ）が３０／７０〜９５／５である衛生紙用柔軟剤。
【化１】
0005617599.tif 000010
（式中、Ａは３〜６価の多価アルコールの水酸基を除く炭化水素残基である。ｍは３〜６の整数で、ＥＯはオキシエチレン基、ＰＯはオキシプロピレン基を表し、ｗ、ｘはそれぞれ水酸基１価あたりのオキシエチレン基またはオキシプロピレン基の平均付加モル数を表す。ｗは１〜１０、ｘは０〜５であり、ｗとｘのモル比ｗ／ｘは７０／３０〜１００／０である。）
【化２】
0005617599.tif 000011
（式中、Ｂは２または３価の多価アルコール重合体の水酸基を除く残基であり、重合度は２〜４である。ｎは２〜６の整数で、ＥＯはオキシエチレン基、ＰＯはオキシプロピレン基を表し、ｙ、ｚはそれぞれ水酸基１価あたりのオキシエチレン基またはオキシプロピレン基の平均付加モル数を表す。ｙは０〜５、ｚは１〜１０であり、ｙとｚのモル比ｙ／ｚは０／１００〜７０／３０である。）
【発明の詳細な説明】
【技術分野】
【０００１】
本発明は衛生紙用柔軟剤に関し、より詳細には低湿度環境下において良好なしっとり感となめらかさを付与し、且つ高湿度環境下においてもきしみ感を抑制することのできる衛生紙用柔軟剤に関する。
【背景技術】
【０００２】
衛生紙、中でもティシューやトイレットペーパーなどは、直接肌に触れるものであることから、良好な肌触りが求められている。そのため、従来よりグリセリンや糖をはじめとした多価アルコールなどの保湿成分を紙に含浸させ、柔らかさやしっとり感を付与させることが知られている。
【０００３】
柔らかさやしっとり感が付与された衛生紙が消費者に浸透するにつれて、より良好な肌触りが求められるようになってきた。特に、薬液には多価アルコールなどの保湿成分を含むものが多く、このような薬剤が塗布された衛生紙は使用環境の湿度に影響を受けるため、冬場などの乾燥した時期や乾燥した部屋ではしっとり感やなめらかさが損なわれることがあり、低湿度環境下でも良好な肌触りを付与できる薬剤が求められる。
【０００４】
そこで、例えば特許文献１には界面活性剤および多価アルコール類からなる薬液を紙に含浸させることで、しっとり感に加え、なめらかさを紙に付与することが開示されている。また、特許文献２にはグリセリンとソルビトールとポリシロキサンを配合した薬液を紙に塗布することで、しっとり感となめらかさを紙に付与することが開示されている。このように、低湿度環境下におけるより良好な肌触りとして、しっとり感やなめらかさの付与がなされている。
【０００５】
しかしながら、これらの衛生紙は、雨天時などの湿度が高い環境においても、しっとり感は得られるものの、なめらかさは得られ難くなり、高湿度環境下においては、しっとり感となめらかさのバランスが崩れて、衛生紙を握った際に衛生紙の表面が手にひっかかるような感じ（きしみ感）を生じる場合があった。すなわち、従来の衛生紙用柔軟剤は、低湿度環境および高湿度環境のいずれにおいても衛生紙に良好な肌触りを十分に与えることが困難であった。
【先行技術文献】
【特許文献】
【０００６】
【特許文献１】特開２００１−２６２４８９号公報
【特許文献２】特開２００６−１６９６９０号公報
【発明の概要】
【発明が解決しようとする課題】
【０００７】
そこで本発明は、低湿度環境下において良好なしっとり感となめらかさを付与し、且つ高湿度環境下においてもきしみ感を抑制することのできる衛生紙用柔軟剤を提供することを目的とする。
【課題を解決するための手段】
【０００８】
上記目的を達成するために、本発明者らは鋭意検討した結果、グリセリンと式（１）で示される化合物と式（２）で示される化合物を配合した組成物を衛生紙に塗布することで、低湿度環境下において良好なしっとり感となめらかさが付与され、且つ高湿度環境下においてもきしみ感が抑制されたより快適な肌触りを付与できることを見出した。
【０００９】
即ち、本発明は、グリセリン（ａ）、式（１）で示される化合物（ｂ）および式（２）で示される化合物（ｃ）からなり、（ａ）が９０〜９９質量％、（ｂ）と（ｃ）の合計が１〜１０質量％であり、（ｂ）と（ｃ）の質量比（ｂ）／（ｃ）が３０／７０〜９５／５である衛生紙用柔軟剤である。
【００１０】
【化１】
0005617599.tif 000002
【００１１】
（式中、Ａは３〜６価の多価アルコールの水酸基を除く炭化水素残基である。ｍは３〜６の整数で、ＥＯはオキシエチレン基、ＰＯはオキシプロピレン基を表し、ｗ、ｘはそれぞれ水酸基１価あたりのオキシエチレン基またはオキシプロピレン基の平均付加モル数を表す。ｗは１〜１０、ｘは０〜５であり、ｗとｘのモル比ｗ／ｘは７０／３０〜１００／０である。）
【００１２】
【化２】
0005617599.tif 000003
【００１３】
（式中、Ｂは２または３価の多価アルコール重合体の水酸基を除く残基であり、重合度は２〜４である。ｎは２〜６の整数で、ＥＯはオキシエチレン基、ＰＯはオキシプロピレン基を表し、ｙ、ｚはそれぞれ水酸基１価あたりのオキシエチレン基またはオキシプロピレン基の平均付加モル数を表す。ｙは０〜５、ｚは１〜１０であり、ｙとｚのモル比ｙ／ｚは０／１００〜７０／３０である。）
【発明の効果】
【００１４】
本発明の衛生紙用柔軟剤によれば、衛生紙に塗布することで、低湿度環境下において良好なしっとり感となめらかさが付与され、且つ高湿度環境下においてもきしみ感が抑制された良好な肌触りの衛生紙を得ることができる。
【発明を実施するための形態】
【００１５】
以下、本発明の実施形態を説明する。本発明の衛生紙用柔軟剤は、（ａ）成分、（ｂ）成分および（ｃ）成分からなり、（ａ）成分はグリセリンである。
【００１６】
（ｂ）成分は式（１）で示される化合物である。
【００１７】
【化３】
0005617599.tif 000004
【００１８】
式（１）において、Ａは３〜６価の多価アルコールの水酸基を除く炭化水素残基である。３〜６価の多価アルコールとしては、具体的には、グリセリン、エリスリトール、キシリトール、ソルビトールなどが挙げられる。ｍは３〜６の整数で、ｗ、ｘはそれぞれ水酸基１価あたりのオキシエチレン基（ＥＯ）またはオキシプロピレン基（ＰＯ）の平均付加モル数を表し、ｗは１〜１０、ｘは０〜５である。特に、オキシエチレン基の付加モル数であるｍ×ｗが３〜４０、且つオキシプロピレン基の付加モル数ｍ×ｘが０〜２０の場合、高湿度環境におけるきしみ感をさらに抑制できる。また、ｗとｘのモル比ｗ／ｘは７０／３０〜１００／０であり、好ましくはｗ／ｘは８５／１５〜１００／０であり、この場合さらに良好なしっとり感が得られる。なお、本発明における炭化水素残基とは、多価アルコールにおけるアルコール性水酸基を除いた炭化水素残基を意味する。
【００１９】
（ｃ）成分は式（２）で示される化合物である。
【００２０】
【化４】
0005617599.tif 000005
【００２１】
式（２）においてＢは２または３価の多価アルコールが重合して形成された多価アルコール重合体の水酸基を除く残基であり、重合度は２〜４である。Ｂは分子中にエーテル結合を含むので、衛生紙により良好なしっとり感を付与することができる。かかる多価アルコール重合体としては、具体的には、ジグリセリン、トリグリセリン、テトラグリセリン、ジエチレングリコール、トリエチレングリコール、テトラエチレングリコール、ジプロピレングリコール、トリプロピレングリコール、テトラプロピレングリコール等が挙げられる。好ましくは、ジグリセリン、トリグリセリン、ジプロピレングリコールである。ｎは２〜６の整数であり、ｙ、ｚはそれぞれ水酸基１価あたりのオキシエチレン基（ＥＯ）またはオキシプロピレン基（ＰＯ）の平均付加モル数を表し、ｙは０〜５、ｚは１〜１０である。特に、オキシエチレン基の付加モル数であるｎ×ｙが０〜１０、且つオキシプロピレン基の付加モル数ｎ×ｚが２〜２０の場合、高湿度環境におけるきしみ感をさらに抑制できる。また、ｙとｚのモル比ｙ／ｚは０／１００〜７０／３０であり、好ましくはｙ／ｚは０／１００〜４０／６０であり、この場合さらに良好ななめらかさが得られる。
【００２２】
（ｂ）成分および（ｃ）成分は、各多価アルコールまたは多価アルコール重合体にアルカリ触媒存在下にて、オキシエチレン、オキシプロピレンを付加させることで得ることができる。得られた化合物の分析方法としては、ゲル浸透クロマトグラフィー（ＧＰＣ）などが挙げられる。また２種以上のオキシアルキレンが付加した場合、ランダムに付加していてもブロック状に付加していても良い。
【００２３】
本発明の衛生紙用柔軟剤は、（ａ）成分が９０〜９９質量％、（ｂ）成分と（ｃ）成分の合計が１〜１０質量％であり、好ましくは（ａ）成分が９０〜９７質量％、（ｂ）成分と（ｃ）成分の合計が３〜１０質量％である。（ａ）成分が９０質量％未満の場合、言い換えれば（ｂ）成分と（ｃ）成分の合計が１０質量％を超える場合は、良好なしっとり感を得られないことがあり、（ａ）成分が９９質量％を超える場合、言い換えれば（ｂ）成分と（ｃ）成分の合計が１質量％未満の場合は、なめらかさが不十分であったり、高湿度環境にてきしみ感が抑制されないことがある。
【００２４】
また、（ｂ）成分と（ｃ）成分の質量比（ｂ）／（ｃ）は、３０／７０〜９５／５であり、好ましくは５０／５０〜９０／１０である。（ｂ）成分と（ｃ）成分の質量比（ｂ）／（ｃ）が３０／７０未満の場合は高湿度環境にてきしみ感が抑制されないことがあり、９５／５を超える場合はなめらかさが不十分であることがある。
【００２５】
本発明の衛生紙用柔軟剤は、取扱いを良くするために、水などの溶媒で希釈し粘度を低減させて使用することができる。また、本衛生紙用柔軟剤には、油性成分、界面活性剤、防腐剤などの紙用添加剤として用いられる他の成分を配合してもよい。本発明の衛生紙用柔軟剤が塗布される衛生紙としては、ティシュペーパー、トイレットペーパー、キッチンペーパー等が挙げられる。
【００２６】
本発明の衛生紙用柔軟剤を衛生紙に塗布する方法としては、コーターまたは印刷機による塗布法、スプレー塗布法、浸漬法等が挙げられる。衛生紙に塗布する量は、紙に対して、１０〜３０質量％が好ましい。
【実施例】
【００２７】
以下、実施例および比較例を挙げて本発明をさらに具体的に説明する。
【００２８】
〔衛生紙用柔軟剤の調製例〕
グリセリンを９８質量％、ポリオキシエチレン（９モル）グリセリンを１. ６質量％、ポリオキシエチレン（４モル）ポリオキシプロピレン（１６モル）ジグリセリンを０. ４質量％混合して組成物１（実施例１）を得た。また、実施例１と同様に、表１〜４の各成分を所定の割合で混合し、組成物２〜１８（実施例２〜１０、比較例１〜８）を調製した。
【００２９】
【表１】
0005617599.tif 000006
【００３０】
【表２】
0005617599.tif 000007
【００３１】
〔衛生紙用柔軟剤塗布ティシュペーパーの調製例〕
調製した衛生紙用柔軟剤をイオン交換水で４倍に希釈し、ハンドスプレーを用いてティシュペーパー１枚（市販されている２枚１組を１枚とする）に噴霧した。衛生紙用柔軟剤噴霧前後のティシュペーパーの重量差から、噴霧前のティシュペーパーに対する噴霧した有効分の質量％を求めて、表３，４中に塗布量として記載した。
【００３２】
【表３】
0005617599.tif 000008
【００３３】
【表４】
0005617599.tif 000009
【００３４】
〔衛生紙用柔軟剤の評価〕
パネラー１０人により、組成物１〜１８をそれぞれ約１７質量％塗布したティシュペーパーに対して、湿度５０％ＲＨの恒湿室にて「しっとり感」および「なめらかさ」について、また湿度７５％ＲＨの恒湿室にて「きしみ感」について、下記評価基準に基づいて３段階評価を行なった。各項目において１０人の評価の合計点が２５点以上であり、かつ１点の評価をしたパネラーが全くいない場合を非常に優れている（◎）、合計点が２０点以上であり、かつ１点の評価をしたパネラーが１人または２人の場合を優れている（○）、平均点が２０点未満、または１点の評価をしたパネラーが３人以上いる場合を（×）と判断した。
【００３５】
〔しっとり感の評価基準〕
３点：非常にしっとりしている。
２点：しっとりしている。
１点：しっとり感が弱い。
【００３６】
〔なめらかさの評価基準〕
３点：非常になめらかである。
２点：なめらかである。
１点：なめらかさが弱い。
【００３７】
〔きしみ感の評価基準〕
３点：きしみ感を全く感じない。
２点：きしみ感をわずかに感じる。
１点：きしみ感をはっきりと感じる。
【００３８】
実施例１〜１０では、しっとり感、なめらかさ、きしみ感のいずれも良好なティシュペーパーを得ることができる。これに対し、比較例１では（ｂ）成分の化合物および（ｃ）成分の化合物が配合されておらず、なめらかさ、きしみ感が不十分である。比較例２では（ｃ）成分の化合物が配合されておらず、なめらかさが不十分である。比較例３では（ｂ）成分の化合物が配合されておらず、きしみ感の抑制が不十分である。比較例４では（ａ）成分の含有量および（ｂ）成分と（ｃ）成分の合計の含有量が本発明規定の範囲を外れており、しっとり感が不十分である。比較例５では（ｂ）成分の代わりに、式（１）におけるｗ／ｘが本発明規定の範囲を外れている（ｂ’）成分が配合されており、きしみ感の抑制が不十分である。比較例６では（ｂ）成分の代わりに、式（１）におけるｗが本発明規定の範囲を外れている（ｂ’）成分が配合されており、きしみ感の抑制が不十分である。比較例７では（ｃ）成分の代わりに、式（２）におけるｙ／ｚが本発明規定の範囲を外れている（ｃ’）成分が配合されており、なめらかさが不十分である。比較例８では（ｃ）成分の代わりに、式（２）におけるｙおよびｚが本発明規定の範囲を外れている（ｃ’）成分が配合されており、きしみ感の抑制が不十分である。